(57)【特許請求の範囲】
【請求項１】
吹出口と吸気口とを設けた本体ケースと、この本体ケース内に前記吸気口から前記吹出口に送風する送風手段を設け、この送風手段の風下側風路に静電霧化手段を備え、前記送風手段はファンケーシングと、このファンケーシング内に設けられた羽根と、この羽根を回転させる電動機とから形成され、前記ファンケーシングと前記本体ケースとの間に第１の空間を有し、この第１の空間と静電霧化手段とが連通した構成である静電霧化装置。
【請求項２】
静電霧化手段は、静電霧化ユニットと、この静電霧化ユニットを囲む静電霧化ケースとから形成し、この静電霧化ケースの上面には複数の上面開口部と、下面には複数の下面開口部とを備え、この複数の下面開口部は前記第１の空間と連通した構成である請求項１に記載の静電霧化装置。
【請求項３】
静電霧化ケースの前記下面開口部と前記第１の空間との間に、第２の空間を備えた構成である請求項２に記載の静電霧化装置。
【請求項４】
静電霧化ケースの前記下面開口部は、前記上面開口部より、前記静電霧化ユニットに近い位置に構成した請求項２または３のいずれかに記載の静電霧化装置。
【請求項５】
静電霧化ケースの前記上面開口部は、前記静電霧化ケースの上方向および前記静電霧化ケースの内部方向に突出した構成である請求項２〜４のいずれかに記載の静電霧化装置。
【発明の詳細な説明】
【技術分野】
【０００１】
本発明は、水に高電圧を印加することにより水微粒子を生成する低騒音の静電霧化装置に関する。
【背景技術】
【０００２】
従来のこの種の静電霧化装置の構成は以下のようになっていた。
【０００３】
すなわち、静電霧化手段は、放電電極と、この放電電極に対向して配置された対向電極と、前記放電電極と前記対向電極との間に高電圧を印加する高圧印加部と、前記放電電極を冷却する冷却部と、この冷却部の熱を放熱する放熱フィン部とから形成し、前記放電電極の先端部に吸音型の第１の消音手段を設けた構成となっていた。（例えば、これに類似する先行文献は下記特許文献１に記載されている）。
【先行技術文献】
【特許文献】
【０００４】
【特許文献１】特開２００７−２８９９１８号公報
【発明の概要】
【発明が解決しようとする課題】
【０００５】
上記従来例における課題は、静電霧化装置の騒音が大きいということであった。
【０００６】
すなわち、従来の物においては、放電電極を冷却部によって冷却することにより、放電電極の先端に空気中の水分を結露させ、その結露させた水に高電圧を印加し、マイナスの電荷を集中させることにより水微粒子を生成していた。この水微粒子の生成に伴い騒音が発生するものである。
【０００７】
そこで本発明は、静電霧化装置の低騒音化を目的とするものである。
【課題を解決するための手段】
【０００８】
そしてこの目的を達成するために本発明は、吹出口と吸込口とを設けた本体ケースと、この本体ケース内に前記吸込口から前記吹出口に送風する送風手段を設け、この送風手段の風下側風路に静電霧化手段を備え、前記送風手段はファンケーシングと、このファンケーシング内に設けられた羽根と、この羽根を回転させる電動機とから形成され、前記ファンケーシングと前記本体ケースとの間に第１の空間を有し、この第１の空間と静電霧化手段とが連通した構成であり、これにより、初期の目的を達成するものである。
【発明の効果】
【０００９】
以上のように本発明は、吹出口と吸込口とを設けた本体ケースと、この本体ケース内に前記吸込口から前記吹出口に送風する送風手段を設け、この送風手段の風下側風路に静電霧化手段を備え、前記送風手段はファンケーシングと、このファンケーシング内に設けられた羽根と、この羽根を回転させる電動機とから形成され、前記ファンケーシングと前記本体ケースとの間に第１の空間を有し、この第１の空間と静電霧化手段とが連通した構成であり、静電霧化装置の低騒音化ができるものである。
【００１０】
すなわち、ファンケーシングと本体ケースとの間に第１の空間を設け、この第１の空間と静電霧化手段とを連通したので、静電霧化手段で発生した騒音の一部が第１の空間内に伝わり、この第１の空間内で進行する音と反射する音とが干渉しあって減衰し、騒音を低減することができる。
【００１１】
これらの結果により、静電霧化装置の低騒音化ができるものである。
【図面の簡単な説明】
【００１２】
【図１】本発明の実施の形態１の静電霧化装置の斜視図
【図２】本発明の実施の形態１の静電霧化装置の断面を示す図
【図３】本発明の実施の形態１の静電霧化装置の断面を示す図
【図４】本発明の実施の形態１の静電霧化装置の静電霧化手段の斜視図
【図５】本発明の実施の形態１の静電霧化装置の静電霧化手段の斜視図
【図６】本発明の実施の形態１の静電霧化装置の静電霧化ユニットの断面を示す図
【発明を実施するための形態】
【００１３】
以下、本実施形態を添付図面を用いて説明する。
【００１４】
（実施の形態１）
図１〜３に示すように、本実施形態の静電霧化装置は、本体ケース１には、吹出口２と吸気口３とを有し、この本体ケース１内には、送風手段４を備えている。吹出口２は、略横長四角形状で略縦長箱形状の本体ケース１の天面に位置し、吸気口３は、略四角形状で本体ケース１の側面背面側の下部に位置し、着脱自在なフィルター５を備えている。
【００１５】
送風手段４は、室内の空気を吸気口３から本体ケース１内に吸い込み、吹出口２より室内に送風するもので、この送風手段４の風下側風路に静電霧化手段６を備えている。
【００１６】
送風手段４はファンケーシング７と、このファンケーシング７内に設けられた遠心送風型の羽根８と、この羽根８を回転させる電動機９とから形成されている。ファンケーシング７は、略縦長箱形状で、天面には略横長四角形状の吐出口１０を備え、側面背面側の下部には円形状の吸込口１１を設けている。この吸込口１１に対向した位置に、羽根８および電動機９を備え、この電動機９の上部に回路部分１２を設けたものである。また、羽根８を囲むように、ファンケーシング７であるスクロール部１３を設けている。このスクロール部１３は、ファンケーシング７の左右側面の下部で形成された側面スクロール部分１４と、ファンケーシング７の底面部で形成された底面スクロール部分１５と、ファンケーシング７の左右側面中央部の一方からファンケーシング７中央方向に延びた円弧形状の上部スクロール部分１６とから構成している。この円弧形状の上部スクロール部分１６の先端には、舌片部１７を備えている。
【００１７】
ファンケーシング７の円弧形状の上部スクロール部分１６の上部に、静電霧化手段６を設け、この静電霧化手段６と、上部スクロール部分とに挟まれたファンケーシングの側面に連通孔１８を備えている。
【００１８】
本実施形態における特徴は、ファンケーシング７と本体ケース１との間に第１の空間１９を有し、この第１の空間１９と静電霧化手段６とが連通した構造にある。具体的には、本体ケース１の側周面と、ファンケーシング７の側周面との間に、第１の空間１９を有し、この第１の空間１９と静電霧化手段６とが、ファンケーシング７の側面の連通孔１８を介して連通している。
【００１９】
すなわち、ファンケーシング７と本体ケース１との間に第１の空間１９を設け、この第１の空間１９と静電霧化手段６とを連通したので、静電霧化手段６で発生した騒音の一部が第１の空間１９内に伝わり、この第１の空間１９内で進行する音と反射する音とが干渉しあって減衰し、騒音を低減することができる。
【００２０】
これらの結果により、静電霧化装置の低騒音化ができるものである。
【００２１】
また、図４〜６に示すように、静電霧化手段６は、複数の静電霧化ユニット２１と、この静電霧化ユニット２１を囲む静電霧化ケース２２とから形成し、この静電霧化ケース２２の上面には複数の上面開口部２５と、下面には複数の下面開口部２６とを備え、この複数の下面開口部２６は前記第１の空間１９と連通した構成である。具体的には、静電霧化ユニット２１は、放電電極３７と、この放電電極３７に対向して配置された対向電極３８と、放電電極３７を冷却する冷却部３９と、この冷却部３９の熱を放熱する放熱フィン部４０とを備え、回路部分１２には、放電電極３７と対向電極３８との間に高電圧を印加する高圧印加部を備えている。
【００２２】
更に詳しく説明すると、放電電極３７は平板形状の平面板部４１と、この平面板部４１の中央部から垂直方向に延びた円柱形状の円柱部４２とから形成している。この放電電極３７の円柱部４２の先端側には、略円筒形状の対向電極３８を備え、放電電極３７の平面板部４１側には、平板形状のペルチェ素子である冷却部３９を設けている。この冷却部３９の他面には、複数の平板形状のフィン部４０ａが並んだ放熱フィン部４０を備えている。この放熱フィン部４０は固定用開口に嵌合すると共に、固定用開口から静電霧化ケース２２の外側にフィン部４０ａが突出している。
【００２３】
ここで、静電霧化ユニット２１の動作について説明する。まず、ペルチェ素子に通電を行なうと、放電電極３７の平面板部４１との接触面側から、放熱フィン部４０へ熱が移動し、放電電極３７が冷却されることになる。これにより、放電電極３７の円柱部４２の先端部が冷却されるので、円柱部４２の先端部に流れ込んだ空気が冷やされ、先端部で結露が発生し、円柱部４２の先端部表面に水が生成される。次に、高圧印加部によって、放電電極３７と対向電極３８との間に高電圧が印加すると、放電電極３７の円柱部４２の先端部がマイナス電極となって電荷が集中し、先端部表面の水と対向電極３８との間にクーロン力が働いて、水が錘状に盛り上がる錘状部を形成する。この錘状部の先端に更に電荷が集中すると、水の表面張力を超えて分裂、飛散を繰返し、マイナスに帯電した帯電微粒子水を生成するものである。この帯電微粒子水は、上面静電霧化ケース２３の上面開口部２５よりファンケーシング７内に流れ、送風手段４によって、室内の空気を吸気口３から本体ケース１内に吸い込み、吹出口２より室内に送風する空気と共に、室内に送風されるものである。
【００２４】
静電霧化ケース２２は、略四角箱形状で、上面静電霧化ケース２３と、下面静電霧化ケース２４とから形成されている。上面静電霧化ケース２３は、下面が開口した略四角箱形状で、本体ケース１の中央側である上面静電霧化ケース２３の側面に、複数の略四角形状の切欠部Ａ３１を設け、本体ケース１の前面側である上面静電霧化ケース２３の側面に、略半円形状の切欠部Ｂ３２を設け、本体ケース１の側面側である上面静電霧化ケース２３の上面に、複数の円形状の上面開口部２５を備えている。下面静電霧化ケース２４は、上面が開口した略四角箱形状で、本体ケース１の中央側である下面静電霧化ケース２４の側面に、複数の略四角形状の切欠部Ｃ３３を設け、本体ケース１の前面側である下面静電霧化ケース２４の側面に、略半円形状の切欠部Ｄ３４を設け、本体ケース１の側面側である下面静電霧化ケース２４の下面に、複数の略四角形状の下面開口部２６を備えている。上面静電霧化ケース２３と下面静電霧化ケース２４を合わせると、上面静電霧化ケース２３の略半円形状の切欠部Ｂ３２と下面静電霧化ケース２４の略半円形状の切欠部Ｄ３４とが連結し、略円形状の連結開口部Ａ３５となり、この連結開口部Ａ３５から静電霧化ケース２２に空気が流れ込むものである。また同様に、上面静電霧化ケース２３と下面静電霧化ケース２４を合わせると、上面静電霧化ケース２３の複数の略四角形状の切欠部Ａ３１と下面静電霧化ケース２４の複数の略四角形状の切欠部Ｃ３３とが連結し、複数の略四角形状の連結開口部Ｂ３６となるものである。これらの連結開口部Ｂ３６から、静電霧化ユニット２１の放熱フィン部４０が突出するように静電霧化ユニット２１は装着されている。つまり、静電霧化ユニット２１の放電電極３７および対向電極３８の近傍には、上面静電霧化ケース２３の上面開口部２５と、下面静電霧化ケース２４の下面開口部２６とが位置し、この下面開口部２６は第１の空間１９と連通した構成である。
【００２５】
このように、静電霧化ユニット２１の騒音発生部である放電電極３７および対向電極３８の近傍には、下面静電霧化ケース２４の下面開口部２６が位置し、この下面開口部２６は第１の空間１９と連通しているので、静電霧化ユニット２１の騒音の一部が、下面静電霧化ケース２４の下面開口部２６、およびファンケーシング７の側面の連通孔１８を介して第１の空間１９に伝わる易くなるので、第１の空間１９内で進行する音と反射する音とが干渉しあって減衰し、騒音を低減することができる。
【００２６】
また、静電霧化ケース２２の下面開口部２６と第１の空間１９との間に、第２の空間２０を備えた構成である。具体的には、静電霧化手段６は、ファンケーシング７の円弧形状の上部スクロール部分１６の上部に設け、この静電霧化手段６と、上部スクロール部分１６と、ファンケーシング７の側面とに囲まれた空間が、第２の空間２０である。
【００２７】
すなわち、静電霧化ユニット２１の放電電極３７および対向電極３８から発生した騒音は、下面静電霧化ケース２４の下面開口部２６から第２の空間２０に伝わり、この第２の空間２０からファンケーシング７の側面の連通孔１８を介して、第１の空間１９に伝わるので、第２の空間２０内、および第１の空間１９内で進行する音と反射する音とが干渉しあって減衰し、騒音を低減することができる。
【００２８】
また、静電霧化ケース２２の下面開口部２６は、上面開口部２５より、静電霧化ユニット２１に近い位置に構成したものである。
【００２９】
これにより、静電霧化ユニット２１の放電電極３７および対向電極３８から発生した騒音は、上面静電霧化ケース２３の上面開口部２５から伝わる騒音より、下面静電霧化ケース２４の下面開口部２６から伝わる騒音が大きくなり、第２の空間２０内、および第１の空間１９内で進行する音と反射する音とが干渉しあって減衰し、騒音を低減することができる。
【００３０】
また、静電霧化ケース２２の上面開口部２５は、静電霧化ケース２２の上方向および静電霧化ケース２２の内部方向に突出した構成である。具体的には、上面静電霧化ケース２３の上面開口部２５には、円筒形状の円筒部２７を備え、この円筒部２７は、上面静電霧化ケース２３の上方向、および内部方向に突出したものである。
【００３１】
すなわち、上面静電霧化ケース２３の上面開口部２５の円筒部２７は、上面静電霧化ケース２３の内部方向に突出しているので、静電霧化ユニット２１の放電電極３７および対向電極３８から発生した騒音は、上面静電霧化ケース２３の上面開口部２５からファンケーシング７内に伝わりにくくなり、騒音を低減することができる。
【００３２】
また、静電霧化ケース２２の下面開口部２６は、静電霧化ケース２２の下方向に突出した構成である。具体的には、下面静電霧化ケース２４の下面開口部２６には、四角筒形状の四角筒部２８を備え、この四角筒部２８は、下面静電霧化ケース２４の下方向に突出したものである。
【００３３】
すなわち、静電霧化ケース２２内で発生した騒音が、第２の空間２０の下方向に伝わり、更に、円弧形状の上部スクロール部分１６によって、連通孔１８方向へ反射するので、連通孔１８から第１の空間１９に伝わりやすくなり、より第２の空間２０内、および第１の空間１９内で進行する音と反射する音とが干渉しあって減衰し、騒音を低減することができる。
【００３４】
また、静電霧化ユニット２１と上面開口部２５および下面開口部２６との間に消音手段２９を備えたものである。具体的には、静電霧化ユニット２１である放電電極３７および対向電極３８と、上面静電霧化ケース２３の上面開口部２５および下面静電霧化ケース２４の下面開口部２６との間に消音手段２９を備えたものである。この消音手段２９は、円柱形状の孔部を備えた吸音材３０である。具体的には、この吸音材３０は、円柱形状で、中心には円柱形状の孔部を備え、この孔部の中心線上に、静電霧化ユニット２１である放電電極３７が位置するものである。この吸音材３０の材質の一例は、オプセルである。
【００３５】
すなわち、静電霧化ユニット２１の放電電極３７および対向電極３８から発生した騒音は、まず、静電霧化ユニット２１である放電電極３７および対向電極３８と、上面静電霧化ケース２３の上面開口部２５および下面静電霧化ケース２４の下面開口部２６との間の消音手段２９で消音されるので、騒音を低減することができる。更に、消音手段２９である吸音材３０は、円柱形状で、中心には円柱形状の孔部を備え、この孔部の中心線上に、静電霧化ユニット２１である放電電極３７が位置するので、放電電極３７から飛散する帯電微粒子水は孔部を通過し、上面静電霧化ケース２３の上面開口部２５よりファンケーシング７内に流れ、送風手段４によって、室内の空気を吸気口３から本体ケース１内に吸い込み、吹出口２より室内に送風する空気と共に、室内に送風される。ここで、放電電極３７から発生した騒音の一部も孔部を通過するので、騒音を低減することができる。
【００３６】
また、本体ケース１の吸気口３は、本体ケース１の背面側に設けたものである。すなわち、静電霧化装置を室内に配置する場合に、室内の壁よりに配置する場合が多いので、送風手段４で発生する騒音は、吸気口３から一旦、壁方向つまり室内の周縁方向に伝わるので、室内の中央へは伝わりにくくなり、騒音を低減することができる。
【００３７】
また、送風手段４である電動機９を本体ケース１の前面側に設け、電動機９の上部に回路部分１２を設けたものである。具体的には、送風手段４はファンケーシング７と、このファンケーシング７内に設けられた遠心送風型の羽根８と、この羽根８を回転させる電動機９とから形成されている。ファンケーシング７は、略縦長箱形状で、天面には略横長四角形状の吐出口１０を備え、側面背面側の下部には円形状の吸込口１１を設けている。この吸込口１１に対向した位置に、羽根８および電動機９を備え、この電動機９の上部に回路部分１２を設けたものである。
【００３８】
すなわち、回路部分１２は、ファンケーシング７の上部で、ファンケーシング７の前面側に位置するので、ファンケーシング７内で発生した騒音が、本体ケース１の前面方向に伝わる騒音を回路部分１２で遮音され、騒音を低減できる。
【産業上の利用可能性】
【００３９】
以上のように本発明は、吹出口２と吸気口３とを設けた本体ケース１と、この本体ケース１内に前記吸気口３から前記吹出口２に送風する送風手段４を設け、この送風手段４の風下側風路に静電霧化手段６を備え、前記送風手段４はファンケーシング７と、このファンケーシング７内に設けられた羽根８と、この羽根８を回転させる電動機９とから形成され、前記ファンケーシング７と前記本体ケース１との間に第１の空間１９を有し、この第１の空間１９と静電霧化手段６とが連通した構成であり、静電霧化装置の低騒音化ができるものである。
【００４０】
すなわち、ファンケーシング７と本体ケース１との間に第１の空間１９を設け、この第１の空間１９と静電霧化手段６とを連通したので、静電霧化手段６で発生した騒音の一部が第１の空間１９内に伝わり、この第１の空間１９内で進行する音と反射する音とが干渉しあって減衰し、騒音を低減することができる。
【００４１】
これらの結果により、静電霧化装置の低騒音化ができるものである。
【００４２】
従って、家庭用や事務所用などの、静電霧化装置として活用が期待されるものである。
【符号の説明】
【００４３】
１    本体ケース
２    吹出口
３    吸気口
４    送風手段
５    フィルター
６    静電霧化手段
７    ファンケーシング
８    羽根
９    電動機
１０  吐出口
１１  吸込口
１２  回路部分
１３  スクロール部
１４  側面スクロール部分
１５  底面スクロール部分
１６  上部スクロール部分
１７  舌片部
１８  連通孔
１９  第１の空間
２０  第２の空間
２１  静電霧化ユニット
２２  静電霧化ケース
２３  上面静電霧化ケース
２４  下面静電霧化ケース
２５  上面開口部
２６  下面開口部
２７  円筒部
２８  四角筒部
２９  消音手段
３０  吸音材
３１  切欠部Ａ
３２  切欠部Ｂ
３３  切欠部Ｃ
３４  切欠部Ｄ
３５  連結開口部Ａ
３６  連結開口部Ｂ
３７  放電電極
３８  対向電極
３９  冷却部
４０  放熱フィン部
４１  平面板部
４２  円柱部
【図１】
0005581625.tif 000002
【図２】
0005581625.tif 000003
【図３】
0005581625.tif 000004
【図４】
0005581625.tif 000005
【図５】
0005581625.tif 000006
【図６】
0005581625.tif 000007